(57)【特許請求の範囲】
【請求項１】
油冷式の圧縮機本体の吐出流路に介設された油分離回収器の下部の油溜り部から上記圧縮機本体内のロータ室および軸受・軸封部等の油供給箇所に油を導く油供給流路に油冷却器、油フィルタおよび油ポンプを備えた油冷式圧縮機において、上記油フィルタで捕捉可能な粒子よりも小さい粒子の捕捉が可能な副油フイルタの他に、開閉弁が介設された油戻し流路を、上記油ポンプの二次側における上記油供給流路の部分から分岐させ、上記油溜り部に、或いはこの油溜り部から上記油ポンプに至る間の上記油供給流路の部分に合流させるように設けたことを特徴とする油冷式圧縮機。
【請求項２】
油冷式の圧縮機本体の吐出流路に介設された油分離回収器の下部の油溜り部から上記圧縮機本体内のロータ室および軸受・軸封部等の油供給箇所に油を導く油供給流路に油冷却器、油フィルタおよび油ポンプを備えた油冷式圧縮機において、上記油フィルタで捕捉可能な粒子よりも小さい粒子の捕捉が可能な副油フイルタの他に、開閉弁が介設された油戻し流路を、上記油分離回収器と上記油冷却器との間の上記油供給流路の部分から分岐させ、上記油冷却器と上記油フィルタとの間の上記油供給流路の部分に合流させるように設けたことを特徴とする油冷式圧縮機。
【発明の詳細な説明】
【０００１】
【発明の属する技術分野】
本発明は、ロータ室内に油注入する油冷式圧縮機に関するものである。
【０００２】
【従来の技術】
従来、図３に示す油冷式圧縮機１０が公知であり、この油冷式圧縮機１０は、油冷式の圧縮機本体１１を備えている。圧縮機本体１１の吸込流路１２には吸込みフィルタ１３が設けられており、圧縮機本体１１の吐出流路１４には油分離回収器１５が設けられている。油分離回収器１５内には気液分離用の油分離エレメント１６が設けられ、油分離回収器１５の下部は分離された油を一旦溜める油溜り部１７となっている。
【０００３】
油分離回収器１５からは吐出流路１４の圧縮ガス供給先に向かう部分が続くとともに、油分離回収器１５の油溜まり部１７からは、油冷却器１８、油フィルタ１９および油ポンプ２１を経て、圧縮機本体１１内の図示しないロータ室および軸受・軸封部等の油供給箇所に油を送るための油供給流路２２が延びている。
【０００４】
そして、吸込みフィルタ１３にて塵等の異物を除去されたガスが、圧縮機本体１１に吸込まれ、油供給流路２２による油注入下で圧縮され、この注入された油を伴って圧縮機本体１１から油分離回収器１５に向けて吐出される。油分離回収器１５では、圧縮ガスが油分離エレメント１６を通過する過程で、油と分離され、この分離された油は油溜まり部１７に一旦溜められる。油分離エレメント１６を経て油分離された圧縮ガスは油分離回収器１５の上部から延びる吐出流路１４の部分に送り出される。油溜まり部１７の油は油冷却器１８で冷却され、油フィルタ１９で異物の除去がなされ、さらに油ポンプ２１により上記油供給箇所へと送り出される。その後、この油は圧縮機本体１１の吐出口から圧縮ガスとともに油分離回収器１５に導かれ、循環使用に供される。
【０００５】
【発明が解決しようとする課題】
上述した従来の油冷式圧縮機では、吸込みガス中に塵、特に微粒径の塵、重金属等の異物が含有している場合、圧縮ガスが油と直接接触するため、この油に微粒径の異物が蓄積してゆく。そして、この蓄積量が増大すると圧縮機本体１１内のロータや軸受・軸封部等の損傷も加速し、これらの耐久性に悪影響を及ぼすという問題があった。
本発明は、斯る従来の問題をなくすことを課題としてなされたもので、油中の異物の含有率を小さくし、この異物による圧縮機本体内のロータや軸受・軸封部等の耐久性への悪影響を最小限に止めるようにした油冷式圧縮機を提供しようとするものである。
【０００６】
【課題を解決するための手段】
上記課題を解決するために、第一発明は、油冷式の圧縮機本体の吐出流路に介設された油分離回収器の下部の油溜り部から上記圧縮機本体内のロータ室および軸受・軸封部等の油供給箇所に油を導く油供給流路に油冷却器、油フィルタおよび油ポンプを備えた油冷式圧縮機において、上記油フィルタで捕捉可能な粒子よりも小さい粒子の捕捉が可能な副油フイルタの他に、開閉弁が介設された油戻し流路を、上記油ポンプの二次側における上記油供給流路の部分から分岐させ、上記油溜り部に、或いはこの油溜り部から上記油ポンプに至る間の上記油供給流路の部分に合流させるように設けた構成とした。
【０００７】
また、第二発明は、油冷式の圧縮機本体の吐出流路に介設された油分離回収器の下部の油溜り部から上記圧縮機本体内のロータ室および軸受・軸封部等の油供給箇所に油を導く油供給流路に油冷却器、油フィルタおよび油ポンプを備えた油冷式圧縮機において、上記油フィルタで捕捉可能な粒子よりも小さい粒子の捕捉が可能な副油フイルタの他に、開閉弁が介設された油戻し流路を、上記油分離回収器と上記油冷却器との間の上記油供給流路の部分から分岐させ、上記油冷却器と上記油フィルタとの間の上記油供給流路の部分に合流させるように設けた構成とした。
【０００８】
【発明の実施の形態】
次に、本発明の実施形態を図面にしたがって説明する。
図１は、第一発明に係る油冷式圧縮機１Ａ、例えば油冷式スクリュ圧縮機を示し、図３に示す油冷式圧縮機１０と互いに共通する部分については、同一番号を付して説明を省略する。
この油冷式圧縮機１Ａでは、油ポンプ２１の二次側における油供給流路２２の部分から分岐させ、油フィルタ１９と油ポンプ２１との間における油供給流路２２の部分に合流させるように油戻し流路２Ａが設けられている。また、この油戻し流路２Ａには、油フィルタ１９で捕捉可能な粒子よりも小さい粒子の捕捉が可能な副油フイルタ３Ａが設けられ、この副油フイルタ３Ａの一次側および二次側のそれぞれに開閉弁４Ｘ，４Ｙが設けられている。
【０００９】
上記構成からなる油冷式圧縮機１Ａにおいて、通常は開閉弁４Ｘ，４Ｙを閉の状態として運転が行われる。そして、運転時間が所定の値に達すると開閉弁４Ｘ，４Ｙを開の状態にし、所定時間だけ油戻し流路２Ａを働かせ、その分岐部と合流部との間の圧力差に基づき、油供給流路２２の油の一部を副油フィルタ３Ａを介して上記合流部に還流させ、油フィルタ１９では捕捉されなかった微粒径の異物を油から除去する異物除去運転が行われる。この異物除去運転の間隔、一回当りの異物除去運転時間は、運転環境、吸込みガスの性状、油の汚れ具合等に鑑み、適宜自由に定められるものである。
【００１０】
このように、適宜油戻し流路２Ａを働かせて異物除去運転を行うことにより、油中の異物の含有率が小さくなり、圧縮機本体１１内のロータ、軸受・軸封部等の異物による損傷が抑制され、それらの耐久性への悪影響を最小限に止めることが可能となっている。また、油フィルタ１９の目詰まりも少なくなる。
なお、上記合流部は、油フィルタ１９と油ポンプ２１との間における油供給流路２２の部分に限定するものでなく、上記分岐部よりも低圧部であればよい。即ち、油戻し流路２の合流部側を図１において、二点鎖線Iで示すように油溜まり部１７に至らせるようにしてもよく、同じく二点鎖線IIで示すように油分離回収器１５と油冷却器１８との間に至らせるようにしてもよく、さらに同じく二点鎖線IIIで示すように油冷却器１８と油フィルタ１９との間に至らせるようにしてもよい。
【００１１】
図２は、第二発明に係る油冷式圧縮機１Ｂ、例えば油冷式スクリュ圧縮機を示し、図１に示す油冷式圧縮機１Ａと互いに共通する部分については、同一番号を付して説明を省略する。
この油冷式圧縮機１Ｂでは、油分離回収器１５と油冷却器１８との間の油供給流路２２の部分から分岐させ、油冷却器１８と油フィルタ１９との間の油供給流路２２の部分に合流させるように油戻し流路２Ｂが設けられている。また、この油戻し流路２Ｂには、油フィルタ１９で捕捉可能な粒子よりも小さい粒子の捕捉が可能な副油フイルタ３Ｂが設けられ、この副油フイルタ３Ｂの一次側および二次側のそれぞれに開閉弁５Ｘ，５Ｙが設けられている。
【００１２】
上記構成からなる油冷式圧縮機１Ｂにおいて、上述した油冷式圧縮機１Ａの場合と同様に、通常は開閉弁５Ｘ，５Ｙを閉の状態として運転が行われる。そして、運転時間が所定の値に達すると開閉弁５Ｘ，５Ｙを開の状態にし、所定時間だけ油戻し流路２Ｂを働かせ、その分岐部と合流部との間の圧力差に基づき、油供給流路２２の油の一部を副油フィルタ３Ｂを介して上記合流部に還流させ、油フィルタ１９では捕捉されなかった微粒径の異物を油から除去する異物除去運転が行われる。なお、上記分岐部と合流部との間の圧力差は、油冷却器１８での圧損により生じる。
そして、適宜油戻し流路２Ｂを働かせて異物除去運転を行うことにより上記同様の作用を生じる。
【００１３】
【発明の効果】
以上の説明より明らかなように、第一発明によれば、油冷式の圧縮機本体の吐出流路に介設された油分離回収器の下部の油溜り部から上記圧縮機本体内のロータ室および軸受・軸封部等の油供給箇所に油を導く油供給流路に油冷却器、油フィルタおよび油ポンプを備えた油冷式圧縮機において、上記油フィルタで捕捉可能な粒子よりも小さい粒子の捕捉が可能な副油フイルタの他に、開閉弁が介設された油戻し流路を、上記油ポンプの二次側における上記油供給流路の部分から分岐させ、上記油溜り部に、或いはこの油溜り部から上記油ポンプに至る間の上記油供給流路の部分に合流させるように設けた構成としてある。
【００１４】
また、第二発明によれば、油冷式の圧縮機本体の吐出流路に介設された油分離回収器の下部の油溜り部から上記圧縮機本体内のロータ室および軸受・軸封部等の油供給箇所に油を導く油供給流路に油冷却器、油フィルタおよび油ポンプを備えた油冷式圧縮機において、上記油フィルタで捕捉可能な粒子よりも小さい粒子の捕捉が可能な副油フイルタの他に、開閉弁が介設された油戻し流路を、上記油分離回収器と上記油冷却器との間の上記油供給流路の部分から分岐させ、上記油冷却器と上記油フィルタとの間の上記油供給流路の部分に合流させるように設けた構成としてある。
【００１５】
このため、油中の異物の含有率が小さくなり、圧縮機本体内のロータ、軸受・軸封部等の異物による損傷が抑制され、それらの耐久性への悪影響を最小限に止めることが可能となる他、油フィルタの目詰まりも少なくなる等の効果を奏する。
【図面の簡単な説明】
【図１】  第一発明に係る油冷式圧縮機の概略を示す図である。
【図２】  第二発明に係る油冷式圧縮機の概略を示す図である。
【図３】  従来の油冷式圧縮機の概略を示す図である。
【符号の説明】
１Ａ  油冷式圧縮機
２Ａ  油戻し流路
３Ａ  副油フイルタ
４Ｘ，４Ｙ  開閉弁
１１  圧縮機本体
１２  吸込流路
１３  吸込みフィルタ
１４  吐出流路
１５  油分離回収器
１６  油分離エレメント
１７  油溜まり部
１８  油冷却器
１９  油フィルタ
２１  油ポンプ
２２  油供給流路
【図１】
0003699895.tif 000002
【図２】
0003699895.tif 000003
【図３】
0003699895.tif 000004